(57)【要約】【課題】  従来の壁掛け用ラックは、石膏ボード等のように壁面の強度が低い場合、壁の内部にある下地材としてのスタッドにネジや釘等で固定する必要があり、ラックの設置位置が制限されてしまう課題があった。【解決手段】  本発明の薄型テレビ用スタンド１０は、薄型テレビ１００の荷重を支える１本のスタンド本体１２と、壁面に固定され、スタンド本体１２を掛け止めするスタンド固定具２０と、薄型テレビ１００の背面に設けられた図示しない取り付け穴に取り付けられ、スタンド本体１２に嵌め合わされる一組のテレビ取り付けプレート３１、３２とを概略具備している。【選択図】図１
2014107863.tif 000002
【特許請求の範囲】
【請求項１】
薄型テレビの荷重を支える１本のスタンド本体と、
壁面に固定され、前記スタンド本体を掛け止めするスタンド固定具と、
薄型テレビの背面に設けられた取り付け穴に取り付けられ、前記スタンド本体に嵌め合わされる一組のテレビ取り付けプレートと、
を具備することを特徴とする薄型テレビ用スタンド。
【請求項２】
前記スタンド固定具は、壁面と垂直となる方向に設けられた掛け止め部を有するベースプレートと、前記ベースプレートを壁面に固定する固定手段とを備え、
前記スタンド本体は、前記掛け止め部が掛止自在に掛け止めされる掛け受け部を有し、前記スタンド本体の軸方向と平行にスライド可能なベースロックプレートを備えることを特徴とする請求項１に記載の薄型テレビ用スタンド。
【請求項３】
前記テレビ取り付けプレートは、薄型テレビの背面と垂直となる方向に突設された突設部が各々設けられ、
前記スタンド本体は、前記突設部が付け外し自在に嵌め合わせられる嵌め合わせ部を有し、前記スタンド本体の軸方向と平行にスライド可能なテレビロックプレートを備えることを特徴とする請求項１または請求項２に記載の薄型テレビ用スタンド。
【請求項４】
前記固定手段は、壁面に接着固定するための複数のベースと、該複数のベースに架け渡されて前記ベースプレートを壁面に押さえ込むベースジョイントとを備えることを特徴とする請求項１乃至請求項３のいずれか１項に記載の薄型テレビ用スタンド。
【請求項５】
前記ベースロックプレートのスタンド本体先端側の端部には、前記ベースロックプレートをスライドさせるベースロックプレートスライドつまみが設けられ、
前記テレビロックプレートのスタンド本体先端側の端部には、前記テレビロックプレートをスライドさせるテレビロックプレートスライドつまみが設けられ、
前記ベースロックプレートスライドつまみは、前記テレビロックプレートスライドつまみを覆うように配置されていることを特徴とする請求項３または請求項４に記載の薄型テレビ用スタンド。
【請求項６】
前記固定手段は、前記ベースジョイントを前記ベースに取り付けるブッシュピンをさらに備え、前記ブッシュピンを取り外すことで前記ベースジョイントを前記ベースの取り外し工具として利用することを特徴とする請求項４または請求項５に記載の薄型テレビ用スタンド。
【請求項７】
前記固定手段は、固定状態を確認するための固定状態確認手段を備えることを特徴とする請求項２乃至請求項６のいずれか１項に記載の薄型テレビ用スタンド。
【発明の詳細な説明】
【技術分野】
【０００１】  本発明は、薄型テレビを壁面に取り付ける薄型テレビ用スタンドに関する。
【背景技術】
【０００２】  液晶テレビ、プラズマテレビや有機ＥＬテレビ等のいわゆる薄型テレビは、従来のブラウン管に比べて、画面に垂直な方向の厚みが非常に薄く、大画面であっても機器そのものの奥行きが薄く場所を取らないという利点がある。このような薄型テレビの特徴を生かし、室内の省スペースとインテリア姓の向上を実現するために、金具や壁掛け用ラックなどによる壁掛けが行われている。【０００３】  例えば、特許文献１には、石膏ボード等の取り付け強度の得られない壁体を補強することで、重量物としての薄型テレビを取り付けられるようにする下地材が開示されている。【０００４】  また、特許文献２には、左右２本の縦フレームを複数本の横繋ぎ材で連結し、左右２本の縦フレーム間にブラケットを介して上下２本の横フレームを架設し、左右２本の縦フレーム間に化粧パネルを取り付け、化粧パネルで横繋ぎ材を覆い隠し、横フレームの下方に棚板を設けた壁掛け用ラックが開示されている。
【先行技術文献】
【特許文献】
【０００５】
【特許文献１】  特開２０１０−１８５２５４号公報
【特許文献２】  特開２００６−２８７５６２号公報
【発明の概要】
【発明が解決しようとする課題】
【０００６】  しかしながら、特許文献１に開示されるような下地材は、専門の業者にしか施工工事を行うことができないばかりでなく、コンクリート壁には適用することができない課題があった。【０００７】  また、特許文献２に開示される壁掛け用ラックは、石膏ボード等のように壁面の強度が低い場合、壁の内部にある下地材としてのスタッドにネジや釘等で固定する必要があり、ラックの設置位置が制限されてしまう課題があった。【０００８】  また、特許文献２に開示される壁掛け用ラックでは、単にフック金具を横フレームに掛止することにより薄型テレビを横フレームから吊り下げているので、不用意に薄型テレビを持ち上げるとフック金具が横フレームから外れ、薄型テレビが落下するおそれがあった。
【課題を解決するための手段】
【０００９】  この発明の目的は、上述した事情に鑑みなされたもので、この発明の主たる目的は、設置位置の自由度が大きい薄型テレビ用スタンドを提供しようとするものである。【００１０】  また、この発明の別の目的は、壁面への取り付けが容易な薄型テレビ用スタンドを提供しようとするものである。【００１１】  上述した課題を解決し、目的を達成するため、この発明に係わる薄型テレビ用スタンドは、請求項１の記載によれば、薄型テレビの荷重を支える１本のスタンド本体と、壁面に固定され、前記スタンド本体を掛け止めするスタンド固定具と、薄型テレビの背面に設けられた取り付け穴に取り付けられ、前記スタンド本体に嵌め合わされる一組のテレビ取り付けプレートと、を具備することを特徴とする。【００１２】  また、この発明に係わる薄型テレビ用スタンドは、請求項２の記載によれば、前記スタンド固定具は、壁面と垂直となる方向に設けられた掛け止め部を有するベースプレートと、前記ベースプレートを壁面に固定する固定手段とを備え、前記スタンド本体は、前記掛け止め部が掛止自在に掛け止めされる掛け受け部を有し、前記スタンド本体の軸方向と平行にスライド可能なベースロックプレートを備えることを特徴とする。【００１３】  また、請求項３の記載によれば、前記テレビ取り付けプレートは、薄型テレビの背面と垂直となる方向に突設された突設部が各々設けられ、前記スタンド本体は、前記突設部が付け外し自在に嵌め合わせられる嵌め合わせ部を有し、前記スタンド本体の軸方向と平行にスライド可能なテレビロックプレートを備えることを特徴とする。【００１４】  また、請求項４の記載によれば、前記固定手段は、壁面に接着固定するための複数のベースと、該複数のベースに架け渡されて前記ベースプレートを壁面に押さえ込むベースジョイントとを備えることを特徴とする。【００１５】  また、請求項５の記載によれば、前記ベースロックプレートのスタンド本体先端側の端部には、前記ベースロックプレートをスライドさせるベースロックプレートスライドつまみが設けられ、前記テレビロックプレートのスタンド本体先端側の端部には、前記テレビロックプレートをスライドさせるテレビロックプレートスライドつまみが設けられ、前記ベースロックプレートスライドつまみは、前記テレビロックプレートスライドつまみを覆うように配置されていることを特徴とする。【００１６】  また、請求項６の記載によれば、前記固定手段は、前記ベースジョイントを前記ベースに取り付けるブッシュピンをさらに備え、前記ブッシュピンを取り外すことで前記ベースジョイントを前記ベースの取り外し工具として利用することを特徴とする。【００１７】  また、請求項７の記載によれば、前記固定手段は、固定状態を確認するための固定状態確認手段を備えることを特徴とする。
【発明の効果】
【００１８】  この発明によれば、壁面によらずに取り付け可能で、設置位置も自由に選択可能な薄型テレビ用スタンドを提供することができる。【００１９】  また、この発明によれば、壁面への取り付けが容易な薄型テレビ用スタンドを提供することができる。
【図面の簡単な説明】
【００２０】
【図１】  本発明の薄型テレビ用スタンドの正面図
【図２】  本発明の薄型テレビ用スタンドの背面図
【図３】  本発明の薄型テレビ用スタンドの側面図
【図４】  スタンド固定具の正面図
【図５】  ベースロックプレートを説明する図
【図６】  テレビロックプレートを説明する図
【図７】  ベースロックプレートによるロック動作を説明する図
【図８】  テレビロックプレートによるロック動作を説明する図
【発明を実施するための形態】
【実施例】
【００２１】  以下に図面を用いて本発明の実施例を説明する。なお、この実施例において、薄型テレビは液晶テレビ、プラズマテレビや有機ＥＬテレビに限定されるものではなく、例えば、パソコン用液晶モニターはもちろん、壁面に取り付けたい機器や装置、または什器等にも適用可能である。【００２２】  以下に、図１乃至図８を用いて、本発明の薄型テレビ用スタンド１０を説明する。図１は、本発明の薄型テレビ用スタンド１０の正面図である。図２は、薄型テレビ用スタンド１０の背面図である。図３は、薄型テレビ用スタンド１０の側面図である。図４は、スタンド固定具の正面図である。図５は、ベースロックプレートを説明する図であり、（ａ）は正面図、（ｂ）は上面図である。図６は、テレビロックプレートを説明する図であり、（ａ）は正面図、（ｂ）は上面図である。図７は、ベースロックプレートによるロック動作を説明するための断面図であり、（ａ）はロック状態を示す図、（ｂ）はロック解除状態を示す図である。図８は、テレビロックプレートによるロック動作を説明するための断面図であり、（ａ）はロック状態を示す図、（ｂ）はロック解除状態を示す図である。【００２３】  本発明の薄型テレビ用スタンド１０は、薄型テレビ１００の荷重を支える１本のスタンド本体１２と、壁面に固定され、スタンド本体１２を掛け止めするスタンド固定具２０と、薄型テレビ１００の背面に設けられた図示しない取り付け穴に取り付けられ、スタンド本体１２に嵌め合わされる一組のテレビ取り付けプレート３１、３２とを概略具備している。【００２４】  スタンド本体１２は、一端が床面に載置され、他端の側に一組のテレビ取り付けプレート３１、３２の各々が嵌め合わされている。また、床面に載置される一端には、薄型テレビ用スタンド１０の前面（薄型テレビ１００が取り付けられる側）に張り出したフットベース１４が設けられており、薄型テレビ１００の荷重による薄型テレビ用スタンド１０の前面への倒れ込み防止を補助している。【００２５】  また、スタンド本体１２は、断面方形の筒形状となっており、その内部には、後述するベースロックプレート１６、テレビロックプレート１８が配置されている。なお、薄型テレビ１００の配線はこの筒形状の内側に通すことが可能となっており、１５はこれらの配線を筒形状内側から飛び出さないようにするためのケーブルカバーとなっている。【００２６】  また、スタンド本体１２の前面（薄型テレビ１００が取り付けられる側）には、後述するテレビ取り付けプレート３１、３２に設けられた突設部３１ａ、３２ａを嵌め合わせる複数（本実施例では８個）の嵌め合わせ穴１９が設けられている。なお、嵌め合わせ穴１９は小径部と大径部を有している。【００２７】  さらに、スタンド本体１２の後面（壁面に取り付ける側）には、後述するベースプレート２１に設けられた掛け止め部２２を掛け止める図示しない掛け止め穴が設けられている。【００２８】  スタンド固定具２０は、壁面と垂直となる方向に設けられた掛け止め部２２を有するベースプレート２１と、ベースプレート２１を壁面に固定する固定手段として、壁面に接着固定するための複数のベース２３ａ、２３ｂ、２３ｃ、２３ｄと該複数のベースのう��、一対となるベース２３ａ、２３ｂとベース２３ｃ、２３ｄとに各々架け渡されてベースプレート２１を壁面に押さえ込むベースジョイント２４ａ、２４ｂとを備えている。【００２９】  ベースプレート２１は、向かい合う一組の辺に立設部２１ａ、２１ｂが設けられた方形板状の部材である。また、立設部２１ａ、２１ｂにはベースジョイント２４ａ、２４ｂを挿通するための二組の挿通穴が設けられている。また、掛け止め部２２は、根元部分がくびれた円筒形状となっており、根元部分以外の円筒形状の直径は掛け止め穴と後述するベースロックプレート１６の掛け受け穴１６ａの大径部より小さく、根元部分の直径は掛け受け穴１６ａの小径部より小さくなっている。【００３０】  複数のベース２３ａ、２３ｂ、２３ｃ、２３ｄは、一方面が壁面に接着固定され、他方面の側にベースジョイント２４ａ、２４ｂを挿入する挿入部を備えている。また、本実施例においては、ベースベース２３ａ、２３ｂとベース２３ｃ、２３ｄは対となっており、この対となったベースの間に立設部２１ａ、２１ｂに設けられた二組の挿通穴の各々に挿通されたベースプレート２１ａ、２１ｂが架け渡されている。この結果、ベース２２ａ、２３ｂとベースジョイント２４ａが挿通穴を介してベースプレート２１を壁面に押さえ込み、また、ベース２２ｃ、２３ｄとベースジョイント２４ｂが挿通穴を介してベースプレート２１を壁面に押さえ込むことで、スタンド固定具２０が壁面に固定されている。【００３１】  また、ベース２３ａ、２３ｂ、２３ｃ、２３ｄとベースジョイント２４ａ、２４ｂとの固定には、抜き取り可能なブッシュピン２５が用いられている。薄型テレビ用スタンド１０を壁面から取り外す際には、最初にスタンド本体１２をスタンド固定具２０から取り外した後、ベース２３ａ、２３ｂ、２３ｃ、２３ｄの各々に取り付けられたブッシュピン２５を抜き取る。次に、ベースジョイント２４ａ、２４ｂを図４の紙面と平行な方向に移動させてベース２３ａ、２３ｂ、２３ｃ、２３ｄへの挿入と立設部２１ａ、２１ｂの挿通穴への挿通を解除してベースプレート２１の壁面への押さえ込みを解除する。最後に、取り外したベースジョイントを取り外し工具として使用し、具体的には、その一方端部側をベースの挿入部に挿入して、本願出願人の先の出願である特開２００６−３１５１６５に開示の方法によりベースを壁面から回転剥離させることで、薄型テレビ用スタンド１０の全ての部位が壁面から取り外し完了となる。【００３２】  テレビ取り付けプレート３１、３２は、薄型テレビ１００の背面に設けられた壁掛け金具等を取り付ける為の取り付け穴にネジ等で固定される板状の部材となっている。また、このテレビ取り付けプレート３１、３２には、薄型テレビ１００の背面と垂直となる方向に突設された突設部３１ａ、３２ａが各々設けられている。【００３３】  突設部３１ａはテレビ取り付けプレート３１に突設されており、複数の嵌め合わせ穴１９のうちのいずれか１個に嵌め合わされる。同様に、突設部３２ａはテレビ取り付けプレート３２に突設されており、複数の嵌め合わせ穴１９のうちのいずれか１個に嵌め合わされる。なお、嵌め合わせ穴１９は小径部と大径部を有している。【００３���】  また、突設部３１ａ、３２ａは、根元部分がくびれた円筒形状または円錐形状となっており、根元部分以外は嵌め合わせ穴１９の大径部と後述するテレビロックプレート１８の嵌め受け穴１８ａの大径部より小さく、根元部分は嵌め合わせ穴１９の小径部と後述するテレビロックプレート１８の嵌め受け穴１８ａの小径部より小さくなっている。【００３５】  ベースロックプレート１６は、向かい合った２つの側面と該側面に垂直な底面で断面略コの字を形成する板状部材となっている。また、略コの字となる断面がスタンド本体１２の軸方向に垂直となるようにスタンド本体１２の内部に収納されて該軸方向と平行にスライド可能となっている。【００３６】  また、ベースロックプレート１６の底面には、大径部と小径部とを有する掛け受け穴１６ａが設けられている。なお、掛け受け穴１６ａの大径部は掛け止め穴と形状及び径の大きさが概略一致すると共に掛け止め部２２の円筒形状の直径より大きく設定されており、また、掛け受け穴１６ａの小径部は掛け止め部２２の根本部分の直径より大きく、かつ、掛け止め部２２の円筒形状の直径より小さく設定されている。【００３７】  ベースロックプレート１６の一方端部側（スタンド本体１２の内部に収納した際のスタンド本体１２の上側（フットベース１４の側と反対の側））には、底面から延出されて２つの側面の側に折り曲げられたベースロックプレートスライドつまみ１６ｂが設けられている。また、ベースロックプレートスライドつまみ１６ｂは、その延出する底面に切れ込み部１６ｃが設けられており、該切れ込み１６ｃのベースロックプレートスライドつまみ１６ｂの側には、ベースロックプレート１６のスタンド本体１２内部でのスライドを制限するために、底面の２つの側面と反対の側に出っ張るように屈曲されたベースロックプレートスライド制限部１６ｄが設けられている。【００３８】  テレビロックプレート１８は、向かい合った２つの側面と該側面に垂直な底面で断面略コの字を形成する板状部材となっている。また、略コの字となる断面がスタンド本体１２の軸方向に垂直となるようにスタンド本体１２の内部に収納されて該軸方向と平行にスライド可能となっている。【００３９】  また、テレビロックプレート１８の底面には、大径部と小径部とを有する複数の嵌め受け穴１８ａが設けられている。なお、嵌め受け穴１８ａの大径部は嵌め合わせ穴１９の大径部と形状及び径の大きさが概略一致すると共に突設部３１ａ、３１ｂの円錐形状の直径より大きく設定されている。また、嵌め受け穴１８ａの小径部は嵌め合わせ穴１９の小径部と形状及び径の大きさが概略一致すると共に、突設部３１ａ、３１ｂの円錐形状の根本部分の直径より大きく、かつ、突設部３１ａ、３１ｂの円錐形状の直径より小さく設定されている。【００４０】  テレビロックプレート１８の一方端部側（スタンド本体１２の内部に収納した際のスタンド本体１２の上側（フットベース１４の側と反対の側））には、底面から延出されて２つの側面の側に折り曲げられたテレビロックプレートスライドつまみ１８ｂが設けられている。【００４１】  なお、嵌め受け穴１８ａの大径部と小径部の配置（スタンド本体１２の軸方向での位置）は、嵌め合わせ穴１９の小径部と体径部の配置（スタンド本体１２の軸方向での位置）と反対になっており、後述するように、テレビロックプレート１８をスタンド本体１２のフットベース１４の側にスライドさせた状態で、両方の小径部で突設部３１ａ、３１ｂの根本部分を挟み込むようになっている。【００４２】  なお、ベースロックプレート１６とテレビロックプレート１８との両方をスタンド本体１２の内部に収納する際には、両方の該略コの字の解放側を向かい合わせに組み合わせて筒状とした状態で収納する。また、ベースロックプレート１６とテレビロックプレート１８の両方とも、筒状に組み合わせた状態でスタンド本体１２内部で各々がスライド可能となっている。【００４３】  また、ベースロックプレートスライドつまみ１６ｂは、ベースロックプレート１６とテレビロックプレート１８とを向かい合わせに組み合わせて筒状とした状態で、テレビロックプレートスライドつまみ１８ｂを上から覆うように配置されており、ベースロックプレートスライド制限部１６ｄがスタンド本体１２に設けられたスライド制限部受け部１３に受けられてスライド不可の状態で、テレビロックプレート１８も併せてスライド不可となるようになっている。【００４４】  次に、スタンド本体１２を壁面に固定されたスタンド本体２０に取り付けたり取り外したりする際のベースロックプレート１６の状態について説明する。図７は、内部に収納されたベースロックプレート１６が見えるようにスタンド本体１２を軸方向で断面にした図で、図７（ａ）はスタンド本体１２をスタンド本体２０に取り付けた状態を示す図、図７（ｂ）はスタンド本体１２をスタンド本体２０から取り外し可能となる状態を示す図である。【００４５】  図７（ａ）では、ベースロックプレート１６が、ベースロックプレートスライドつまみ１６ｂをスタンド本体１２の上端（フットベース１４の側と反対の側）でつかめるように残した状態で、スタンド本体１２に収納されている。この状態では、掛け止め部２２の根本部分が掛け受け穴１６ａの小径部に差し込まれることで、スタンド本体１２がスタンド固定具２０に固定されることになる。なお、この状態では、ベースロックプレートスライド制限部１６ｄがスライド制限部受け部１３に受けられてスライド不可の状態となっている。【００４６】  図７（ｂ）では、切れ込み部１６ｃによりスタンド本体１２の軸方向と垂直な方向に揺動可能なベースロックプレートスライド制限部１６ｄをスタンド本体１２の中心側（図７（ｂ）での紙面手前側）に動かしてスライド制限部受け部１３に受けられている状態を解除した後、ベースロックプレート１６のベースロックプレートスライドつまみ１６ｂをつかんでスタンド本体１２の上端の方向（フットベース１４の側と反対の方向）にスライドさせた状態を示している。【００４７】  この状態では、掛け止め部２２の円柱部分が掛け受け穴１６ａの大径部に移動しているので、スタンド本体１２をスタンド固定具２０から取り外し可能となっている。【００４８】  次に、スタンド本体１２に薄型テレビ１００を取り付けたテレビ取り付けプレート３１、３２を取り付けたり取り外したりする際のテレビロックプレート１８の状態について説明する。図８は、���部に収納されたテレビロックプレート１８が見えるようにスタンド本体１２を軸方向で断面にした図で、図８（ａ）はテレビ取り付けプレート３１、３２をスタンド本体２０に取り付けた状態を示す図、図８（ｂ）はテレビ取り付けプレート３１、３２をスタンド本体２０から取り外し可能となる状態を示す図である。【００４９】  図８（ａ）では、テレビロックプレート１８が、テレビロックプレートスライドつまみ１８ｂをスタンド本体１２の上端でつかめる位置となる状態で、スタンド本体１２に収納されている。なお、この図８（ａ）では、図示の関係上、テレビロックプレートスライドつまみ１８ｂを覆うベースロックプレートスライドつまみ１６ｂが記載されていない。実際には、ベースロックプレートスライドつまみ１６ｂによりベースロックプレート１６をスライドさせないとテレビロックプレートスライドつまみ１８ｂをつかめる状態とはならない。【００５０】  図８（ａ）の状態では、嵌め受け穴１８ａの小径部の位置が嵌め合わせ穴１９の小径部の位置になっているので、突設部３１ａ、３２ａの根本部分が嵌め受け穴１８ａの小径部と嵌め合わせ穴１９の小径部との両方に差し込まれることで、テレビ取り付けプレート３１、３２とそれらに取り付けられた薄型テレビ１００がスタンド本体１２に固定されることになる。【００５１】  図８（ｂ）では図示しないベースロックプレート１６のスタンド本体１２の上端の方向へのスライド後に、テレビロックプレートスライドつまみ１８ｂをつかんでテレビロックプレート１８をスタンド本体１２の上端の方向にスライドさせた状態を示している。【００５２】  この図８（ｂ）の状態では、嵌め受け穴１８ａの大径部の位置が嵌め合わせ穴１９の大径部の位置になっているので、突設部３１ａ、３２ａをスタンド本体１２から取り外し可能となっている。【００５３】  以上のような構成を有する本発明の薄型テレビ用スタンド１０により薄型テレビ１００を壁面に立てかけて固定する手順を以下に説明する。【００５４】  最初に、一組のテレビ取り付けプレート３１、３２を薄型テレビ１００の背面に設けられた取り付け穴にネジ等で取り付ける。この際、薄型テレビ１００の背面に設けられた取り付け穴は、通常、規格等で決められた箇所に平行となるように設けられているので、テレビ取り付けプレート３１、３２は所定の間隔となるとともに、テレビ取り付けプレート３１、３２同士は平行となる。【００５５】  次に、ベースロックプレートスライドつまみ１６ｂを引き出してベースロックプレート１６をスライドさせ、掛け受け穴１６ａにスタンド固定具２０の掛け止め部２２を入れて、さらにベースロックプレートスライドつまみ１６ｂをスタンド本体１２に向かって押し込んでベースロックプレート１６をスライドさせて、スタンド本体１２にスタンド固定具２０を取り付ける。【００５６】  次に、この状態を維持したまま、ベース２３ａ、２３ｂ、２３ｃ、２３ｄの接着テープの剥離紙を取り、スタンド本体１２が取り付けられたままでスタンド固定具２０を壁面に接着固定する。【００５７】  なお、この際、予めスタンド本体１２をスタンド固定具２０に取り付けておき、別途、スタンド固定具２０の壁面への接着固定の状態を���認するための固定状態確認手段を設けておくとより良い。具体的には、例えば、スタンド本体１２とスタンド固定具２０とをつなげるように、ある所定の引っ張り力で千切れる紙等を取り付けておき、スタンド固定具２０を壁面に接着固定したあとのスタンド本体１２のスタンド固定具２０からの取り外しで、紙が取り付けられた状態のままスタンド本体１２を引っ張る。この結果、紙が破けてスタンド本体１２がスタンド固定具２０から取り外しできた場合にはスタンド固定具２０の壁面への接着強度が良好であると判断し、また、紙が破れずにスタンド本体１２と共にスタンド固定具２０が壁面から取れてしまった場合にはスタンド固定具２０の壁面への接着強度が不良と判断し、スタンド固定具２０の壁面への接着固定を再度やり直すという方法などがある。【００５８】  次に、再度、ベースロックプレートスライドつまみ１６ｂを引き出してベースロックプレート１６をスライドさせ、掛け受け穴１６ａに入れられている掛け止め部２２を取り外し可能とした後に、スタンド固定具２０を壁面に残したままスタンド本体１２のみ取り外す。【００５９】  次に、取り外したスタンド本体１２のベースロックプレートスライドつまみ１６ｂを引き出してベースロックプレート１６をスライドさせ、さらに、テレビロックプレートスライドつまみ１８ｂを引き出してテレビロックプレート１８をスライドさせて、テレビ取り付けプレート３１、３２の突設部３１ａ、３２ａを複数ある嵌め合わせ穴１９のいずれか２個に嵌め合わせる。なお、上述の通り、薄型テレビ１００の背面に設けられた取り付け穴は、規格等で決められた箇所に設けられているので、テレビ取り付けプレート３１、３２は所定の間隔となっているので、複数ある嵌め合わせ穴１９のいずれか２個に嵌め合わせ可能であり、どの嵌め合わせ穴１９に嵌め合わせるかは、薄型テレビ１００を床面からどの程度の高さにするかで任意に設定する。【００６０】  次に、テレビロックプレートスライドつまみ１８ｂをスタンド本体１２に向かって押し込んでテレビロックプレート１８をスライドさせて、スタンド本体１２に薄型テレビ１００が取り付けられているテレビ取り付けプレート３１、３２をスタンド固定具２０を取り付ける。また、この際、ベースロックプレートスライドつまみ１６ｂのスタンド本体１２に向かって押し込んでおけば、ベースロックプレートスライドつまみ１６ｂがテレビロックプレートスライドつまみ１８ｂを覆い隠すので、不用意に薄型テレビ１００がスタンド本体１２から外れることがなくなる。【００６１】  この状態で、薄型テレビ１００への配線等の接続が完了したら、次に、床面においてスタンド本体１２のフットベース１４を支点にして薄型テレビ１００及びスタンド本体１２を持ち上げて立たせる。【００６２】  次に、持ち上げて立たせたスタンド本体１２のベースロックプレートスライドつまみ１６ｂを引き出してベースロックプレート１６をスライドさせ、掛け止め穴及び掛け受け穴１６ａに掛け止め部２２を入れて、ベースロックプレートスライドつまみ１６ｂをスタンド本体１２の方向に向かって押し込むんで作業を完了させる。【００６３】  なお、取り外しの手順は、取り付けの手順と、基本的には反���の手順となる。また、ベースの壁面からの取り外しは、本願出願人の先の出願である特開２００６−３１５１６５に開示の方法等に開示の通り、取り外したベースジョイントを取り外し工具として使用し、その一方端部側をベースの挿入部に挿入して、ベースを壁面から回転剥離させることで行うことが可能となっている。【００６４】  なお、上述した本発明の薄型テレビ用スタンド１０では、スタンド固定具２０をベースの壁面への接着固定と説明したが、この方法に限らず、ベースプレート２１をネジ止め等で固着しても良いことは説明するまでもない。【００６５】  以上、説明したような構成と取り付け、取り外し手順となっている本発明の薄型テレビ用スタンド１０は、スタンド本体１２を１本としたことで、非常に構造が簡単となっている。【００６６】  また、テレビ取り付けプレート３１、３２の薄型テレビ１００への取り付けやスタンド固定具２０のスタンド本体１２を利用した壁面への接着固定などにより、初めて本発明の薄型テレビ用スタンド１０を使用する場合においても、簡単、確実で、かつ精密に取り付けできるようになっている。【００６７】  また、本発明の薄型テレビ用スタンド１０は、例えば特許文献１、２に開示のテレビ壁掛け用ラック等のように、そのサイズによっては非常に重い薄型テレビ１００を直接持ち上げることなく、スタンド本体１２の床面側の端部を回転中心にして持ち上げる、即ち、薄型テレビの重量をスタンド本体１２で支えた状態で持ち上げるので、薄型テレビ１００を落としたりする危険も少なく、かつ、取り付けが容易となっている。【００６８】  さらに、本発明の薄型テレビ用スタンド１０の壁面への取り付けは接着を利用しているので、特許文献１に開示の下地材のように、専門の業者でなくとも取り付けが可能であるとともに、壁面の強度が低い石膏ボードや、穴あけが困難なコンクリート壁にも適用可能である。【００６９】  また、本発明の薄型テレビ用スタンド１０は、薄型テレビ１００をスタンド本体１２に取り付けた後は、ベースロックプレートスライドつまみ１６ｂがテレビロックプレートスライドつまみ１８ｂを覆う構成となっているので、不用意にテレビロックプレート１８がスライドすることがなく、特許文献２に開示される壁掛け用ラックのように、作業中に薄型テレビが落下するおそれが少ない。【００７０】  以上のように、本発明により、壁面の種類によらずに取り付け可能で、設置位置も自由に選択可能で、かつ、薄型テレビの落下や転倒を確実に防止できる薄型テレビ用スタンドが提供可能となる。
【符号の説明】
【００７１】１０・・薄型テレビ用スタンド、１２・・スタンド本体、１３・・スライド制限部受け部、１４・・フットベース、１５・・ケーブルカバー、１６・・ベースロックプレート、１６ａ・・掛け受け穴、１６ｂ・・ベースロックプレートスライドつまみ、１６ｃ・・切れ込み部、１６ｄ・・ベースロックプレートスライド制限部、１８・・テレビロックプレート、１８ａ・・嵌め受け穴、１８ｂ・・テレビロックプレートスライドつまみ、１９・・嵌め合わせ穴、２０・・スタンド固定具、２１・・ベースプレート、２１ａ、２１ｂ・・立設部、２２・・掛け止め部、２３ａ、２３ｂ、２３ｃ、２３ｄ・・ベース、２４ａ、２４ｂ・・ベースジョイント、２５・・ブッシュピン、３１、３２・・テレビ取り付けプレート、３１ａ、３２ａ・・突設部、１００・・薄型テレビ
【図１】
2014107863.tif 000003
【図２】
2014107863.tif 000004
【図３】
2014107863.tif 000005
【図４】
2014107863.tif 000006
【図５】
2014107863.tif 000007
【図６】
2014107863.tif 000008
【図７】
2014107863.tif 000009
【図８】
2014107863.tif 000010